(57)【特許請求の範囲】
【請求項１】
紙葉類を綴じるための消耗品を案内する案内部と、当該案内部に案内された消耗品を開口部に向けて押圧する押圧部材と、当該押圧部材によって押圧された消耗品を紙葉類に打ち出す打出部材とを設けた綴込装置において、前記押圧部材の一端側を前記案内部から連続し且つ屈曲させた退避部に取り付け、前記押圧部材を、前記退避部及び前記案内部に沿って伸長させることによって前記消耗品を押圧するものとしていることを特徴とする綴込装置。
【請求項２】
紙葉類を固定するための消耗品を打ち出すためのハンドル部材および当該打ち出された消耗品を変形させるための変形台を備えたベース部材とを備え、前記消耗品を案内する案内部および当該案内された消耗品を開口部に向けて押圧する押圧部材を備えたカートリッジを具備してなる綴込装置において、前記押圧部材の一端側を前記案内部から連続し且つ屈曲させた退避部に取り付け、前記押圧部材を、前記退避部及び前記案内部に沿って伸長させることによって前記消耗品を押圧するものとしていることを特徴とする綴込装置。
【請求項３】
前記退避部が、前記案内部から折り返して設けられた退避部であることを特徴とする請求項１または２に記載の綴込装置。
【請求項４】
前記案内部を直線状に設けたことを特徴とする請求項１、２または３に記載の綴込装置。
【請求項５】
前記消耗品を装填するための空間を確保する位置に前記押圧部材を固定する固定手段を設けたことを特徴とする請求項１、２、３または４に記載の綴込装置。
【発明の詳細な説明】
【０００１】
【発明の属する技術分野】
本発明は、複数の書類などを綴り込むための装置に関するものである。
【０００２】
【従来の技術】
従来、ステープラなどのように複数枚の用紙を綴り込むような綴込装置では、その内部に複数の消耗品たる針を装填できるように直線状の案内部を設けており、また、この案内部に装填された消耗品を連続的に打ち出すことができるように、コイルスプリングなどの押圧部材を用いてその消耗品の後端部を押し出すようにしている。
【０００３】
【発明が解決しようとする課題】
ところが、このようなステープラでは、複数の消耗品を直線状の案内部に装填しており、また、この案内部の後端側にコイルスプリングを設けて、消耗品を打出開口部側に押圧するようにしているため、そのコイルスプリングを取り付けている分だけ消耗品の装填スペースが削られてしまう。従って、案内部に装填できる消耗品の数が少なくなってしまい、頻繁にこのような消耗品を装填し直さなければならないという問題を有していた。また、コイルスプリングを設けるスペースが小さいと、コイルスプリングの伸長時と縮小時の押圧力に差が生じてしまうという問題も生じていた。
【０００４】
そこで、本発明は上記問題を解決するために、消耗品を装填する案内部の形状を工夫することによって可能な限り多くの消耗品を装填できるようにするとともに、押圧力に差を生じさせないような綴込装置を提供することを目的とするものである。
【０００５】
【課題を解決するための手段】
すなわち、本発明の綴込装置は、紙葉類を綴じるための消耗品を案内する案内部と、当該案内部に案内された消耗品を開口部に向けて押圧する押圧部材と、当該押圧部材によって押圧された消耗品を紙葉類に打ち出す打出部材とを設けた綴込装置において、前記押圧部材の一端側を前記案内部から連続し且つ屈曲させた退避部に取り付け、前記押圧部材を、前記退避部及び前記案内部に沿って伸長させることによって前記消耗品を押圧するものとしていることを特徴とするものである。
【０００６】
このように、案内部とは別に退避部を設けて押圧部材を取り付けるようにしたので、押圧部材として例えばコイルスプリングを用いた場合、コイルスプリングの自然長を長く確保でき、コイルスプリング伸縮時の押圧力の差を小さくすることができる。また、消耗品を装填するスペースをより大きく確保することができ、消耗品の装填回数を少なくすることができる。
【０００７】
また、このような案内部と押圧部材をカートリッジとして構成し、ハンドル部材やベース部材から成る本体に対して着脱可能に設けるようにすれば、カートリッジを本体から取り外して容易に消耗品を装填することができるばかりでなく、製造工程においても、より簡単にこのようなカートリッジを製造することができる。
【０００８】
また、このような発明において、退避部を屈曲して設ける方法は種々考えられるが、より好ましくは案内部から折り返して設けるように退避部を構成すると良い。このように構成した場合は、案内部と退避部を含む部分の全長を短くすることができ、よりコンパクトな綴込装置を提供することができる。
【０００９】
更に、このように退避部を案内部から屈曲させて構成する場合、案内部をより長く確保するために屈曲させた部分まで案内部を構成することもできるが、このように構成すると、その屈曲した部分で消耗品が詰まる可能性がある。従って、このような詰まりを防止するためには、案内部を直線状にもうけるとともに、この案内部から退避部を屈曲させて構成すると良い。
【００１０】
また、案内部から連続した部分である退避部に押圧部材を設けるようにすると、案内部の前端部分から退避部の後端部分までが長くなる。従って、押圧部材が大きく変位するために、押圧部材を大きく変位させながら、案内部に消耗品を装填しなければならない。そこで、このような装填操作を簡単に行なうようにするためには、消耗品を装填するための空間を確保する位置に前記押圧部材を固定する固定手段を設け、この空間を確保した状態で消耗品を装填すると良い。
【００１１】
【発明の実施の形態】
以下、本発明の一実施の形態について図を用いて説明する。図１は、本発明の一実施の形態を示す綴込装置Ａを示す中央縦断面図を示したものであり、ハンドル部材２を閉止動作させていない状態を示したものである。また、図２は、図１におけるＡ−Ａ’端面を示したものであり、図３および図４は、それぞれカートリッジ３およびこのカートリッジ３の先端部分に装着されるキャップ３１を示したものである。図において、１はベース部材、２はハンドル部材、３はカートリッジを示すものであり、このハンドル部材２をベース部材１側に閉止動作させることによって、カートリッジ３内に装填されている円筒状の消耗品４を繰り出して用紙５を綴じるようにするものである。この消耗品４は、リサイクル可能な紙を主成分として構成することによってシュレッダで裁断できるようにするとともに、可燃ゴミとして用紙５を消耗品４で綴じたまま廃棄できるようにしたものであり、図８に示すように、円筒部分４０の上端側に中空円盤状の上平面部４１を設け、また、円筒部分４０の下端側に楔状の割れ目４２を設けることによって、この消耗品４を押圧した場合に割れ目４２部分を放射状に広げて用紙５を綴り込めるようにしたものである。また、この割れ目４２の先端部分に傾斜部４３を設け、用紙５への貫通性を高めるようにしている。
【００１２】
綴込装置Ａのベース部材１は、硬質プラスチックの筐体部分と、その内部に設けられた金属板などによって構成されたもので、その筐体の底面１０を水平に形成することによって机などに置くことができるようにするとともに、この底面１０に対して垂直に設けられた左右側壁１１（図２参照）の先端部分に回転軸１１ａを設けてハンドル部材２を回転可能に支持するようにしたものである。
【００１３】
この底板１０の内側の先端部分には、水平な金属板の上に設けられた変形台１２を取り付けており、この変形台１２の内周縁を上方に鋭角に突出させることによって消耗品４を押圧させて消耗品４の下端を放射状に広げられるようにしている。また、この水平な金属板の両側には左右の側壁１１の内側に沿った金属側壁部分１１ｅを設けており、この金属側壁部分１１ｅに前後方向に沿ったガイドレール１１ｂを設けることによって後述する保持部材たるカートリッジ３を挿入できるようにしている。
【００１４】
また、この金属板に設けられた変形台１２に対応して、左右側壁１１間のプラスチック部分に穿孔部材挿入孔１５を設けており、この穿孔部材挿入孔１５に挿入された穿孔部材１６の先端部分を変形台１２の中空部分に挿抜できるようにしている。この穿孔部材１６は、変形台１２の円筒中空部分の内径に対応させた尖状部１６ａによって被綴部材たる用紙５に孔を設けられるようにしたものであり、更に、この尖状部１６ａの先端位置から消耗品４の縦方向の長さよりも長く設定した部分に段差部分１６ｂを設けて、この段差部分１６ｂに消耗品４の上平面部４１を接触させて押圧できるようにしている。
【００１５】
また、この段差部分１６ｂより上方に設けられた部分は、その垂直方向の軸線に沿って左右に縦長状の平面切欠部１６ｃを設けており、この平面切欠部１６ｃによって段差部分１６ｂから消耗品４の上平面部４１を一部露出させるようにしている。なお、この穿孔部材１６は、バネ部材１７によって常時上方側に位置するように設定されており、ハンドル部材２を押下した際に、その穿孔部材１６の上端部分をバネ部材１７の押圧力に抗して押し下げ許容し、これによって変形台１２の中空部分へ挿入させるようにしている。
【００１６】
一方、この変形台１２の上方には、側壁１１に設けられた軸１３ａを中心に先端側を回転できるようにした紙受台１３が設けられており、この紙受台１３の先端下方に設けられた圧縮バネ１３ｂを用いて紙受台１３を常に上方に位置させるようにしている。この圧縮バネ１３ｂは、ベース部材１の底面１０に設けられたネジ底蓋１３ｃを開けることによって、底板１０と紙受台１３との間にその圧縮バネ１３ｂを取り付けることができるようにしている。また、この紙受台１３の先端部分には、変形台１２の取付位置に対応して開口部１３ｄを設けており、圧縮バネ１３ｂの押圧力に抗して紙受台１３を下降させた場合に、この開口部１３ｄの外周部分近傍に変形台１２の外周部分が位置するようにしている。また、この紙受台１３の開口部１３ｄ下側には、紙受台１３の下方に向けて一定の厚みを有する肉厚部１３ｅを設けており、カートリッジ３の下部先端部分に設けられた規制部３６をこの肉厚部１３ｅと底板１０との間に位置させることによって紙受台１３の下降を規制するようにしている。また、この紙受台１３は、ベース部材１の側壁１１に対して平行に設けられた左右の側壁１３ｆ（図２）と、この側壁１３ｆの上部に跨って設けられた載置面と１３ｇとによって内部にコの字状の空間を形成し、この内部空間にカートリッジ３の下部を挿入できるようにしている。
【００１７】
また、このベース部材１の底面１０には、軸１４ａを中心に開閉できる開閉部材１４を設けており、この開閉部材１４を下側に開けることによって、このベース部材１の側壁１１内側に設けられた二本のガイドレール１１ｂに沿ってカートリッジ３を後方から挿入できるようにしている。この開閉部材１４は、その内側に突出して設けられた突出部１４ｂを設けており、また、この底板対応部分の両側から垂直に設けた側壁対応部分の間隔を左右の金属板１１ｅより若干狭くすることによって、プラスチックの弾性力で開閉部材１４を閉じた状態に維持できるようにしている。
【００１８】
カートリッジ３は、ベース部材１の側壁内側に設けられた二本のガイドレール１１ｂに沿ってベース部材１に対して後方から着脱できるようにしたものであり、長手方向に対称に設けられた二つの部材を組み合わせたものである。このカートリッジ３は、図３に示すように、その内部に消耗品４を装填するための直線状の案内部３０を設けており、この案内部３０の先端部分に設けられたキャップ３１（図４）を取り外すことによって消耗品４を装填できるようにしたものである。この案内部３０は、消耗品４の上平面部４１の形状に対応させた細いガイド溝３０ａと、消耗品４の円筒部分に対応させた主案内部３０ｂとを設けており、このように略Ｔ字状に設けられた溝によって消耗品４が内部でガタつかないようにしている。また、この案内部３０は直線状に設けられており、内部に装填された消耗品４が順次繰り出される途中で詰まらないようにしている。また、案内部３０の後端には、案内部３０の後端から連続してヘアピン状に略１８０度下方に屈曲して設けられた待避部３３を設け、この退避部３３に消耗品４をキャップ３１側に押圧するためのコイルスプリング３２を取り付けるようにしている。このコイルスプリング３２は、その自由端側をフリー状態にした際に、その自由端側が案内部３０の先端側まで伸びるように設定されており、このように設定することによって、消耗品４が徐々に少なくなった場合であってもコイルスプリング３２の押圧力を維持させている。また、このように構成することによって、消耗品４を装填する際にも、そのコイルスプリング３２の先端側を直線状の案内部３０の後端まで圧縮させることによって消耗品４を可能な限り多く装填できるようにしている。また、このコイルスプリング３２の先端側には、消耗品４を押圧するために消耗品４との接触面部分を三日月状に窪ませた押圧片３２ａを取り付けており、また、この押圧片３２ａの上部にも突出片３２ｂを設けて、案内部３０の上部に開口された溝３７（図２）からこの突出片３２ｂを突出させるようにしている。この突出片３２ｂは、案内部３０の溝３７に沿って後端側にスライドさせることによって消耗品４を装填するための空間を確保するようにしており、この突出片３２ｂに設けた凹部３２ｃを溝３７後端上部に設けられた突起部３８に嵌め合わせることによってコイルスプリング３２の先端を案内部３０の後端側に留めるようにしている。このように固定手段を構成する突出片３２ｂの凹部３ｃと突起部３８とによって、消耗品４を装填する際、案内部３０に消耗品４を装填できるようにするための空間を確保できるようにしている。
【００１９】
また、このカートリッジ３の下面には、下向きに開口した凹部３４が設けられており、この凹部３４の前方側にコイルスプリング３５の一端を取り付けるとともに、この凹部３４の後端側とコイルスプリング３５の自由端側に設けられた先端部材３４ａとの間に開閉部材１４の突出部１４ｂを配置させるための空間部を形成し、これによってカートリッジ３がコイルスプリング３５の押圧力に抗してガイドレール１１ｂに沿って後方に移動できるようにしている。また、カートリッジ３の下方の前端部分、すなわち凹部３４の前方側には、このカートリッジ３を装填した場合に肉厚部１３ｅと底板１０との間に挟まれる規制部３６を設ており、カートリッジ３をコイルスプリング３５の押圧力に抗して後方にスライドさせた場合に、この規制部３６が肉厚部１３ｅと底板１０との間から外れて紙受台１３の先端部分を下方に回転できるようにしている。
【００２０】
このカートリッジ３の案内部３０の先端側に設けられたキャップ３１は、消耗品４の装填方向に沿って着脱できるようにしたものであり、図４に示すように、その先端部分に保持された消耗品４を下方に打ち出すための開口部３１ａを有する弾性片３１ｂを左右に設けたものである。この弾性片３１ｂは、プラスチックなどによって片持梁状に形成されたものであり、その自由端側である先端側を穿孔部材１６の段差部分１６ｂによって押し広げることによって左右の弾性片３１ｂで保持された消耗品４を下方に打ち出すことができるようにしたものである。また、この弾性片３１ｂの自由端側の上部には、この穿孔部材１６の下降に伴う押し広げ動作を容易にするために、内側部分にテーパ状の切欠面３１ｄを設けており、穿孔部材１６の尖状部１６ａが消耗品４の中空部分を貫通するまでこの弾性片３１ｂによって消耗品４を保持するとともに、穿孔部材１６の段差部分１６ｂによって消耗品４が強制的に押し下げられることによって消耗品４を打ち出すことができるようにしている。また、このキャップ３１の後端上部には、上方に向けて突出する左右の傾斜片３１ｃを設けるようにしている。このキャップ３１の後端部上方に設けられた傾斜片３１ｃは、カートリッジ３の案内部３０上方に設けられた溝３７を避けるように左右に起立して設けたものであり、その下端から上端に向けて後方側へ傾斜させた部分を設けることによってハンドル部材２のリブ２３を接触させるようにしている。
【００２１】
このハンドル部材２は、図１に示すようにベース部材１の先端側に設けられた回転軸１１ａによって回転可能に支持されるものであり、この回転軸１１ａの近傍に設けられたバネ部材１１ｃによってベース部材１から広がるようにしたものである。このハンドル部材２は、ベース部材１と同様に硬質プラスチックによって構成されており、この回転軸１１ａの後方に設けられた回転規制片２０をベース部材１の金属側壁部分に設けられた円弧状の長孔１１ｄに嵌め合わせることによってハンドル部材２の広がり角度を規制するようにしている。また、このハンドル部材２の上面板２１内側には、穿孔部材１６の上端部分に接触するようにした傾斜部２１ａを設けており、ハンドル部材２を閉止動作させた場合に穿孔部材１６の上端をこの傾斜部２１ａに沿って徐々に押し下げることができるようにしている。また、この傾斜部２１ａの後方には、ハンドル部材２の左右側壁２２および上面板２１から直立して設けられた押圧部たるリブ２３が取り付けられており、このハンドル部材２を閉止動作させた場合に、カートリッジ３の傾斜片３１ｃの前方傾斜部分にこのリブ２３を接触させてカートリッジ３を後方にスライドさせるようにしている。
【００２２】
次に、このように構成された綴込装置Ａを用いて複数枚の用紙５を綴じる動作例について図１および図５から図７を用いて説明する。
【００２３】
まず、カートリッジ３に消耗品４を装填する場合、底板１０に設けられた開閉部材１４をあけて、カートリッジ３を後方にスライドさせてカートリッジ３を取り出す。そして、案内部３０の先端に取り付けられているキャップ３１を前方に引くことによって取り外し、突出片３２ｂを案内部３０の上部に設けられている溝３７に沿って後方にスライドさせ、この突出片３２ｂの凹部３２ｃを案内部３０の後部に設けられている突起部３８に嵌め合わせてこの位置でコイルスプリング３２を固定する。そして、案内部３０の先端側から消耗品４を略Ｔ字状に設けられた案内部３０に沿って装填し、キャップ３１を取り付けるとともに突起部３０ｂに嵌め合わされていた突出片３２ｂを突起部３８から外してコイルスプリング３２の押圧力によって消耗品４をキャップ３１側に押圧するようにする。そして、このように消耗品４を装填したカートリッジ３を、ベース部材１の後方からガイドレール１１ｂに沿って挿入し、ベース部材１の底板１０に設けられた開閉部材１４を閉じ、この状態で開閉部材１４の突出部１４ｂをコイルスプリング３５の先端側に位置させるとともに、カートリッジ３の下方先端部分に設けられた規制部３６を紙受台１３の肉厚部１３ｄの下方に位置させる。そして、複数枚の用紙５を紙受台１３の上に載せてハンドル部材２を押し下げる。
【００２４】
このハンドル部材２を押し下げた場合、ハンドル部材２の上面板２１の内側に設けられた傾斜部２１ａに穿孔部材１６の上端部分が接触し、更にハンドル部材２を押し下げることによって穿孔部材１６の尖状部１６ａがキャップ３１内に保持された消耗品４の中空部分に挿入される。そして、更にハンドル部材２を押し下げると、穿孔部材１６の段差部分１６ｂがキャップ３１の弾性片３１ｂの上端部分に設けられた切欠面３１ｄに接触し、左右の弾性片３１ｂが互いに押し広げられて、穿孔部材１６の段差部分１６ｂによって消耗品４の上平面部４１を強制的に押し下げる。そして、この状態から更に穿孔部材１６を押し下げると、まず消耗品４の中空部分を貫通した尖状部１６ａによって用紙５に孔があけられ（図７（ａ））、続いて変形台１２と紙受台１３の上面との間に空間を確保した状態で消耗品４を用紙５に貫通させる（図５および図７（ｂ））。なお、穿孔部材１６が消耗品の中空部分を貫通している状態においては、穿孔部材１６の直径が消耗品４の中空部分と略等しく設定されているため、穿孔部材１６が消耗品４を貫通している状態で消耗品４を尖状部１６ａに保持できるようにしている。
【００２５】
そして、更にハンドル部材２を押し下げると、ハンドル部材２の内側に設けられたリブ２３がキャップ３１の傾斜片３１ｃに接触して、カートリッジ３全体がコイルスプリング３５の押圧力に抗して後方にスライドさせられる。そして、このスライドによってカートリッジ３の下方先端部分に設けられた規制部３６が紙受台１３の肉圧部１３ｄの下方から待避し、紙受台１３の下方への回転を許容する。そして、この紙受台１３の下降にともなって変形台１２と紙受台１３との間に設けられていた空間部がなくなり、消耗品４の下端部が紙受台１３に接触して、変形台１２の内周突出部分によって消耗品４の下端部分が放射状に広げられて複数枚の用紙５を閉じる。
【００２６】
このように本実施の形態によれば、用紙５を綴じるための消耗品４を案内する案内部３０と、この案内部３０に案内された消耗品４を開口部３１ａに向けて押圧するコイルスプリング３２と、このコイルスプリング３２によって押圧された消耗品４を用紙５側に打ち出す穿孔部材１６とを設けた綴込装置Ａにおいて、コイルスプリング３２の一端側を案内部３０から屈曲させた退避部３３に取り付けるようにしたので、消耗品４を装填するスペースをより大きく確保することによって消耗品の装填回数を少なくすることができるばかりでなく、コイルスプリング３２の自然長を長く確保できるので、押圧片３２ａの最後方時と最前方時の押圧力の差を小さくすることができる。
【００２７】
また、本実施の形態では、案内部と退避部をカートリッジとして構成し、ハンドル部材２やベース部材１に対して着脱可能に設けるようにしたので、カートリッジ３を本体から取り外して容易に消耗品４を装填することができるようになる。
【００２８】
また、退避部３３を案内部３０の下方側にヘアピン状に略１８０度屈曲させて設けたので、カートリッジ３の全長を短く構成することができるようになる。
【００２９】
更に、案内部３０と退避部３３とが屈曲している状況の中で、消耗品４を装填するための案内部３０を直線状に設けるようにしたので、屈曲部分の中で消耗品４が詰まることがなくなる。
【００３０】
また、このような案内部３０に突起部３８を設けるとともに、コイルスプリング３２の先端に設けられている押圧片３２ａの突出片３２ｂに凹部３２ｃを設けて、これらを嵌め合わせるようにしたので、消耗品４を装填するための空間を予め確保しておくことができ、容易に大量の消耗品４を案内部３０に装填することができるようになる。
【００３１】
なお、本発明は上記実施の形態に限られることなく、種々変更することができる。例えば、本実施の形態においては、消耗品４として円筒形状をした部材を用いて説明したが、一般的に使用されている下向きに開口した略コの字形状の金属製の針を消耗品として使用する場合についても適用することができる。
【００３２】
また、本実施の形態においては、退避部３３を案内部の下側に屈曲させて設けるようにしたが、これに限らず、上下左右方向に略１８０度屈曲させて退避部を設けても良い。
【００３３】
【発明の効果】
本発明は、以上説明したような形態で実施され、以下に記載されるような効果を奏する。
【００３４】
すなわち、本発明の綴込装置は、紙葉類を綴じるための消耗品を案内する案内部と、当該案内部に案内された消耗品を開口部に向けて押圧する押圧部材と、当該押圧部材によって押圧された消耗品を紙葉類に打ち出す打出部材とを設けた綴込装置において、前記押圧部材の一端側を前記案内部から屈曲させた退避部に取り付けるようにしたので、消耗品を装填するスペースをより大きく確保することによって消耗品の装填回数を少なくすることができるばかりでなく、コイルスプリング３２の自然長を長く確保できるので、押圧片３２ａの最後方時と最前方時の押圧力の差を小さくすることができる。
【００３５】
また、押圧部材の一端側を案内部から屈曲させた退避部に取り付けるようにしたカートリッジを、ハンドル部材やベース部材に対して着脱可能に設けるようにしたので、カートリッジを本体から取り外して容易に消耗品を装填することができるようになる。
【００３６】
更に、このような発明において、退避部を案内部から折り返して設けるようにしたので、案内部と退避部を含む部分の全長を短くすることができ、よりコンパクトに構成することができる。
【００３７】
また、このような発明において、案内部を直線状に設けるようにしたので、案内部に装填されている消耗品が屈曲部分で詰まることを防止することができる。
【００３８】
更に、消耗品を装填するための空間を確保する位置に押圧部材を固定する固定手段を設けるようにしたので、この空間を確保した状態でより簡単に消耗品を装填することができる。
【図面の簡単な説明】
【図１】本発明の一実施の形態を示す綴込装置の中央断面図。
【図２】図１におけるＡ−Ａ’端面図。
【図３】同実施の形態におけるカートリッジの側面断面図
【図４】同実施の形態における、カートリッジに装填されるキャップの正面図、側面図、平面図。
【図５】同実施の形態におけるハンドル部材を押下した状態図。
【図６】同実施の形態におけるハンドル部材を完全に押下した場合の状態図
【図７】同実施の形態における、穿孔部材および用紙の綴込に関する状態説明図。
【図８】同実施の形態における消耗品の外観図。
【符号の説明】
Ａ・・・綴込装置
１・・・ベース部材
２・・・ハンドル部材
３・・・カートリッジ
４・・・消耗品
５・・・紙葉類（用紙）
１２・・・変形台
１３・・・紙受台
１６・・・打出部材（穿孔部材）
３０・・・案内部
３１ａ・・・開口部
３２・・・押圧部材（コイルスプリング）
３２ａ・・・押圧部材（押圧片）
３２ｂ・・・固定手段（突出片）
３２ｃ・・・固定手段（凹部）
３３・・・退避部
３８・・・固定手段（突起部）
【図１】
0003808310.tif 000002
【図２】
0003808310.tif 000003
【図３】
0003808310.tif 000004
【図４】
0003808310.tif 000005
【図５】
0003808310.tif 000006
【図６】
0003808310.tif 000007
【図７】
0003808310.tif 000008
【図８】
0003808310.tif 000009